(57)【要約】本発明は、ワイヤレス通信ネットワークにおいて、ＭＴＣデバイスを用いて共同で監視するための方法、ならびに関連するＭＴＣデバイスおよびシステムを提供する。各ＭＴＣデバイスは当該ワイヤレス通信ネットワークを介してＭＴＣサーバに接続され、固有ＩＤおよびセキュリティ・コードを有するトランシーバを含み、当該トランシーバは、そのＭＴＣデバイス近傍の一定レンジ内にある他のＭＴＣデバイスに、その正常または異常な状況情報を定期的にブロードキャストし、当該レンジ内にある他のＭＴＣデバイスを検出および識別する。当該方法は、ＭＴＣデバイスが違法に操作された場合、そのトランシーバが破壊されていない場合は、ＭＴＣデバイスがＭＴＣサーバに警報メッセージを送信し、その現在の位置に関する情報を報告することになり、そのトランシーバが破壊された場合は、ＭＴＣデバイスがＭＴＣサーバに警報メッセージを１回送信することになり、（１つまたは複数の）当該他のＭＴＣデバイスが、ＭＴＣデバイスによって送信された合法のブロードキャスト信号を検出しないことから、ＭＴＣサーバに警報メッセージを送信し、その現在位置に関する情報を報告することになる。
2013516853.tif 000002
【特許請求の範囲】
【請求項１】
ワイヤレス通信ネットワークにおいて、Ｍａｃｈｉｎｅ  Ｔｙｐｅ  Ｃｏｍｍｕｎｉｃａｔｉｏｎ  ＭＴＣデバイスを用いて共同で監視するための方法であって、各前記ＭＴＣデバイスは前記ワイヤレス通信ネットワークを介してＭＴＣサーバに接続され、固有ＩＤおよびセキュリティ・コードを有するトランシーバを含み、前記トランシーバは、そのＭＴＣデバイス近傍の一定レンジ内にある他のＭＴＣデバイスに、その正常または異常な状況情報を定期的にブロードキャストし、前記レンジ内にある他のＭＴＣデバイスを検出および識別し、
−前記ＭＴＣデバイスが違法に操作されたが前記トランシーバは破壊されていない場合に、前記ＭＴＣデバイスが前記ＭＴＣサーバに警報メッセージを送信し、その現在の位置に関する情報を報告するステップと、
−前記ＭＴＣデバイスが違法に操作され前記トランシーバが破壊された場合に、前記ＭＴＣデバイスが前記ＭＴＣサーバに警報メッセージを１回送信し、（１つまたは複数の）前記他のＭＴＣデバイスが、前記ＭＴＣデバイスによって送信された合法のブロードキャスト信号を検出しないことから、前記ＭＴＣサーバに警報メッセージを送信し、その現在位置に関する情報を報告するステップと、
を含むことを特徴とする、方法。
【請求項２】
前記ＭＴＣデバイスは、移動可能なシステムまたはデバイスに使用される場合、前記ＭＴＣサーバに報告するために、前記ＭＴＣデバイスのリアルタイムの位置を測定するためのＧＰＳロケータも含む、請求項１に記載の方法。
【請求項３】
前記ＭＴＣサーバが、前記ＭＴＣデバイスの前記現在位置に関する情報を記憶する、請求項１または２に記載の方法。
【請求項４】
前記違法な操作が、パスワード誤り、トランシーバの破壊、位置変更を含む、請求項１に記載の方法。
【請求項５】
前記トランシーバによる前記レンジ内の前記（１つまたは複数の）他のＭＴＣデバイスに関する前記検出および識別が、
前記トランシーバが前記（１つまたは複数の）他のＭＴＣデバイスから確認要求を受信した場合、前記ＭＴＣデバイスの前記現在の状況に基づき、前記トランシーバによって、合法／違法メッセージを前記（１つまたは複数の）他のＭＴＣデバイスに送信するステップを含み、
前記（１つまたは複数の）他のＭＴＣデバイスは、前記トランシーバから違法メッセージを受信したか、またはいかなる確認メッセージも受信していない場合、前記ＭＴＣサーバに警報信号を送信し、その現在位置に関する情報を報告する、
請求項１乃至４のいずれか１項に記載の方法。
【請求項６】
ワイヤレス通信ネットワークにおける共同監視が可能なＭａｃｈｉｎｅ  Ｔｙｐｅ  Ｃｏｍｍｕｎｉｃａｔｉｏｎ  ＭＴＣデバイスであって、前記ＭＴＣデバイスは、前記ワイヤレス通信ネットワークを介してＭＴＣサーバに接続され、固有ＩＤおよびセキュリティ・コードを有するトランシーバを含み、前記トランシーバは、そのＭＴＣデバイス近傍の一定レンジ内にある（１つまたは複数の）他のＭＴＣデバイスに、その正常または異常な状況情報を定期的にブロードキャストし、前記レンジ内にある前記（１つまたは複数の）他のＭＴＣデバイスを検出および識別し、
−前記ＭＴＣデバイスが違法に操作された場合に、前記ＭＴＣサーバに警報メッセージを送信するための警報メッセージ送信手段と、
−前記ＭＴＣデバイスが違法に操作されたが前記トランシーバは破壊されていない場合に、前記ＭＴＣデバイスの現在位置に関する情報を前記ＭＴＣサーバに報告するための、第１の位置情報報告手段と、
−前記（１つまたは複数の）他のＭＴＣデバイスによって送信された合法のブロードキャスト信号が検出されない場合に、前記ＭＴＣサーバに警報メッセージを送信し、その現在位置に関する情報を報告するための、第２の位置情報報告手段と、
をさらに含むことを特徴とする、ＭＴＣデバイス。
【請求項７】
前記ＭＴＣデバイスは、移動可能なシステムまたはデバイスに使用される場合、前記ＭＴＣサーバに報告するために、前記ＭＴＣデバイスのリアルタイムの位置を測定するためのＧＰＳロケータも含む、請求項６に記載のＭＴＣデバイス。
【請求項８】
前記ＭＴＣサーバが、前記ＭＴＣデバイスの前記現在位置の情報を記憶する、請求項６または７に記載のＭＴＣデバイス。
【請求項９】
前記違法な操作が、パスワード誤り、トランシーバの破壊、位置変更を含む、請求項６に記載のＭＴＣデバイス。
【請求項１０】
前記トランシーバによる前記レンジ内の前記（１つまたは複数の）他のＭＴＣデバイスに関する前記検出および識別が、
前記トランシーバが前記（１つまたは複数の）他のＭＴＣデバイスから確認要求を受信した場合、前記ＭＴＣデバイスの前記現在の状況に基づき、前記トランシーバによって、合法／違法メッセージを前記（１つまたは複数の）他のＭＴＣデバイスに送信することを含み、
前記（１つまたは複数の）他のＭＴＣデバイスは、前記トランシーバから違法メッセージを受信したか、またはいかなる確認メッセージも受信していない場合、前記ＭＴＣサーバに警報信号を送信し、その現在位置に関する情報を報告する、
請求項６乃至９のいずれか１項に記載のＭＴＣデバイス。
【請求項１１】
ワイヤレス通信ネットワークにおいて共同監視を実施するためのシステムであって、
請求項６乃至１０のいずれか１項に記載の少なくとも２つのＭＴＣデバイスと、
それらの状況および位置情報を処理するために前記ＭＴＣデバイスと対話する少なくとも１つのＭＴＣサーバと、
ワイヤレス通信ネットワークであって、前記ＭＴＣデバイスおよび前記ＭＴＣサーバが前記ワイヤレス通信ネットワークを介して互いに通信し合う、ワイヤレス通信ネットワークと、
を備えることを特徴とする、システム。
【発明の詳細な説明】
【技術分野】
【０００１】
本発明は通信の分野に関し、より具体的には、Ｍａｃｈｉｎｅ  Ｔｙｐｅ  Ｃｏｍｍｕｎｉｃａｔｉｏｎ（ＭＴＣ）デバイス間での共同（collaborating）による監視の技法に関する。
【背景技術】
【０００２】
たとえば車載デバイス（ＩＶＤ）などのＭＴＣデバイスの高い盗難／脆弱性により、現在では、追跡／警報システムが非常に普及してきている。ＩＶＤベースのシナリオでは、これらのシステムは、ロック・デバイス、警報システム、および車両追跡／回収（recovery）システムという、３つのタイプに分類することができる。しかし、これらには以下の欠点がある。
−一般的に使用される車両盗難防止ロック（ハンドル用盗難防止ロックなど）は比較的安価であるが、使用には不便であって、熟練した窃盗犯によって容易に解除される可能性がある。
−大多数の車両警報システムは、頻繁に誤警報を発する。
−一般的に使用される車両追跡／回収システムは、Ｌｏｊａｃｋ追跡システム、ＰｒｏＳｃｏｕｔ  ＧＰＳ車両追跡システム、ＴｒａｖｅｌＥｙｅｓ２車両追跡システムなどのように、無線信号に基づくものである。車両が盗難に遭うと、所有者はこの問題を警察またはＧＰＳ追跡オフィスに報告することができる。位置を特定し、警察の迅速な回収につなげるために、車内のワイヤレス送信器またはＧＰＳデバイスが使用されることになる。しかしながらこれらのシステムは、事前の高額な購入資金ならびに保守費用（たとえば毎月の監視料）を要し、アンテナを破壊するかまたは金属で覆うだけで容易に無効化され、その後ＴＰＳ追跡システムは役に立たなくなる。
【０００３】
前述の３つのシステムは、容易に取り外し／破壊されることから脆弱であり、たとえ警報器が取り外されない場合であっても、車両が路上に出た後に盗難車を追跡することは困難である。
【０００４】
センサ・ネットワーク・ベースの車両盗難防止システムにおける最近の改良されたリサーチは、基地局のワイヤレス・アクセスが制限されるため、制限された駐車場エリア内で動作する。盗難車は駐車場内の他の車両によって検出され、そのローカル基地局に報告されることが可能である。しかしながら盗難車は、しばしば基地局が応答するよりも速く移動し、駐車場監視エリア外に出ると見失うことになる。
【０００５】
前述のシステムでは、所有者は車両の盗難を報告することはできるが、ＧＰＳ測位機能がない、またはこの機能が破壊された場合、車両の現在位置を追跡することはできず、迅速な回収の妨げとなる。
【発明の概要】
【発明が解決しようとする課題】
【０００６】
本発明の目的は、従来技術における前述の問題を解決することである。
【課題を解決するための手段】
【０００７】
本発明の態様によれば、ワイヤレス通信ネットワークにおいて、Ｍａｃｈｉｎｅ  Ｔｙｐｅ  Ｃｏｍｍｕｎｉｃａｔｉｏｎ  ＭＴＣデバイスを用いて共同で監視するための方法が提案され、ここで各ＭＴＣデバイスは当該ワイヤレス通信ネットワークを介してＭＴＣサーバに接続され、固有ＩＤおよびセキュリティ・コードを有するトランシーバを含み、当該トランシーバは、そのＭＴＣデバイス近傍の一定レンジ内にある他のＭＴＣデバイスに、その正常または異常な状況情報を定期的にブロードキャストし、当該レンジ内にある他のＭＴＣデバイスを検出および識別し、当該方法は、ＭＴＣデバイスが違法に操作されたが当該トランシーバは破壊されていない場合に、ＭＴＣデバイスがＭＴＣサーバに警報メッセージを送信し、その現在の位置に関する情報を報告するステップと、ＭＴＣデバイスが違法に操作され当該トランシーバが破壊された場合に、ＭＴＣデバイスがＭＴＣサーバに警報メッセージを１回送信し、（１つまたは複数の）当該他のＭＴＣデバイスが、ＭＴＣデバイスによって送信された合法のブロードキャスト信号を検出しないことから、ＭＴＣサーバに警報メッセージを送信し、その現在位置に関する情報を報告するステップと、を含む。
【０００８】
本発明の他の態様によれば、ワイヤレス通信ネットワークにおける共同監視が可能なＭａｃｈｉｎｅ  Ｔｙｐｅ  Ｃｏｍｍｕｎｉｃａｔｉｏｎ  ＭＴＣデバイスが提案され、ここで当該ＭＴＣデバイスは、当該ワイヤレス通信ネットワークを介してＭＴＣサーバに接続され、固有ＩＤおよびセキュリティ・コードを有するトランシーバを含み、トランシーバは、そのＭＴＣデバイス近傍の一定レンジ内にある（１つまたは複数の）他のＭＴＣデバイスに、その正常または異常な状況情報を定期的にブロードキャストし、当該レンジ内にある（１つまたは複数の）他のＭＴＣデバイスを検出および識別し、さらにＭＴＣデバイスは、ＭＴＣデバイスが違法に操作された場合に、ＭＴＣサーバに警報メッセージを送信するための警報メッセージ送信手段と、ＭＴＣデバイスが違法に操作されたがトランシーバは破壊されていない場合に、ＭＴＣデバイスの現在位置に関する情報をＭＴＣサーバに報告するための、第１の位置情報報告手段と、当該（１つまたは複数の）他のＭＴＣデバイスによって送信された合法のブロードキャスト信号が検出されない場合に、ＭＴＣサーバに警報メッセージを送信し、その現在位置に関する情報を報告するための、第２の位置情報報告手段と、を含む。
【０００９】
本発明のさらに他の態様によれば、ワイヤレス通信ネットワークにおいて共同監視を実施するためのシステムが提案され、このシステムは、本発明に従った少なくとも２つのＭＴＣデバイスと、それらの状況および位置情報を処理するためにＭＴＣデバイスと対話する少なくとも１つのＭＴＣサーバと、ワイヤレス通信ネットワークであって、当該ＭＴＣデバイスおよび当該ＭＴＣサーバが当該ワイヤレス通信ネットワークを介して互いに通信し合う、ワイヤレス通信ネットワークと、を備える。
【００１０】
図面を参照しながら、本発明の諸実施形態についての以下の説明を読めば、本発明のこれらおよび多くの他の特徴および利点が明らかとなろう。
【図面の簡単な説明】
【００１１】
【図１】本発明の概念に基づくシステムのアーキテクチャを示す概略図である。
【図２】本発明の概念に基づく共同セキュア・アクセス手順を示す概略図である。
【図３】本発明の概念に基づく共同検出手順を示す概略図である。
【図４】本発明の実施形態に従った、ＭＴＣデバイスによってワイヤレス通信ネットワーク内で共同監視するための方法を示す流れ図である。
【図５】本発明の実施形態に従った、ＭＴＣデバイスを示すブロック図である。
【発明を実施するための形態】
【００１２】
本発明の基本的な考え方は、ワイヤレス都市規模ネットワーク内のそれぞれのＭＴＣデバイスに、トランシーバ、ならびに必要であればＧＰＳロケータを装備することに存する。特定領域内に配置されたすべてのＭＴＣデバイスは互いに接続され、ワイヤレス・アクセス・ネットワークによってカバーされている。ＭＴＣデバイスに対する特定の違法な操作（パスワード誤り、トランシーバの破壊、位置変更など）によって、その隣接するＭＴＣデバイスが正常な信号を受信できなくなる可能性がある。このイベントおよびこのイベントを検出するＭＴＣデバイスの位置情報がＭＴＣサーバに報告されることが可能であり、それによって、盗難または破壊されたＭＴＣデバイスのおおよその位置がわかる。ＭＴＣデバイスの検出レンジは、人によって、たとえば５０メートル、１００メートルなどに設定可能である。
【００１３】
ＭＴＣデバイス内に含まれるトランシーバは、ＭＴＣサーバによって区別可能な固有ＩＤ、およびセキュリティ・コードを有する。このトランシーバは、その検出領域内に配置された（１つまたは複数の）ＭＴＣデバイスを検出および識別することができる。新しいＭＴＣデバイスがその検出領域内に入ってきた場合、このトランシーバは、そのＭＴＣデバイスに確認要求を送信することになる。この新しいＭＴＣは確認要求を受信すると、その現在の状況に応じて合法／違法メッセージで応答する。トランシーバは、この新しいＭＴＣデバイスから違法メッセージを受信するか、またはいずれの確認メッセージも受信しなかった場合、ＭＴＣサーバに警報メッセージを送信することになる。
【００１４】
図１は、本発明を適用するシステムのアーキテクチャを概略的に示しており、ここでＭＴＣサーバは、ＰＬＭＮ（公衆陸上移動ネットワーク）を介して複数のＭＴＣデバイスに接続される。ＭＴＣデバイスは、その状況（正常または異常）を、特定のレンジ内にある他のＭＴＣデバイスへ定期的にブロードキャストするため、このレンジ内のすべてのＭＴＣは互いに通信および識別が可能である。当該レンジは、ＷｉＦｉ、ＺｉｇＢｅｅ、ＵＷＢ、ＦＩＤなどの適合ワイヤレス伝送技術に従って、設定可能である。それぞれのＭＴＣデバイスは、そのセキュリティ・アクセス・パスワードを用いて合法に動作可能である。
【００１５】
さらにＭＴＣデバイスは、ＭＴＣデバイスが静的または移動性のシステムまたはデバイスであるかどうかに依存して、リアルタイムのＭＴＣデバイスのＧＰＳ位置を測定するためのＧＰＳロケータを含む場合、または含まない場合があり、この静的なシステムまたはデバイスはたとえばパーソナル・コンピュータであり、移動性のシステムまたはデバイスはたとえば車両である。静的なＭＴＣデバイスは、その位置情報がＭＴＣサーバに事前に記憶される可能性があり（その位置情報は静的デバイスが移動される場合に更新される）、その盗難または破壊イベントは他のＭＴＣデバイスによって検出可能であり、その位置も他のＭＴＣデバイスによって追跡可能であるため、必ずしもＧＰＳロケータを含まない。
【００１６】
オプションで、ＭＴＣサーバはＭＴＣデバイスの位置情報を記憶可能である。ＭＴＣサーバがＭＴＣデバイスの位置情報を記憶している場合、静的なＭＴＣデバイスは、盗難または破壊状況が検出される間に、ＭＴＣサーバに対して警報メッセージを送信し、そのＩＤを報告するだけでよい。
【００１７】
図２は、本発明の概念に基づいた共同セキュア・アクセス手順を概略的に示す。図２に示されるように、ＭＴＣデバイスが正しいパスワードなしに移動され、そのトランシーバが破壊されていない場合、移動されたＭＴＣデバイスは警報メッセージおよび現在位置（またはＩＤ）をサーバに送信する一方で、迅速な追跡および回収のために、違法な信号を他のＭＴＣデバイスにブロードキャストすることになる。ＭＴＣデバイスが移動され、トランシーバが破壊された場合、ＭＴＣデバイスは、電力がオフとなり合法なブロードキャスト信号が切断される前に、警報メッセージをＭＴＣサーバに１回送信し、同じ検出領域内の他のＭＴＣデバイスは、このＭＴＣデバイスによって送信された合法なブロードキャスト信号を検出せず、ＭＴＣサーバに警報メッセージおよびそれらの現在位置を送信する。それによって、移動または破壊されたＭＴＣデバイスのおおよその地理的位置を、異常な状況を検出しているＭＴＣデバイスの現在位置情報から推測することができる。
【００１８】
図３は、本発明の概念に基づいた共同検出手順を概略的に示す。図３に示されるように、トランシーバを破壊／移動させることになるいずれの操作も、ＭＴＣサーバに警報メッセージを自動的に送信するようにトリガし、その後このイベントは、所有者の携帯電話または警察などの、他の機関に報告されることが可能である。移動可能なＭＴＣデバイスは、ＧＰＳロケータを装備することが可能であり、ＭＴＣサーバへの直接アップリンク・アクセスを有するため、他のＭＴＣデバイスは、１つのＭＴＣデバイスのロケータが破壊されたときに共同で監視することによって、その位置の回収を手助けすることができる。
【００１９】
本発明の解決策を使用することによって、盗難／破壊イベントを即時に検出することが可能であり、盗難／破壊されたデバイスの位置を連続的に追跡することが可能である。
【００２０】
本発明の解決策が、以下のような（ただしこれらに限定されない）多くのシナリオに適用可能であることは明らかであろう。
−車両盗難防止システム：車両が盗難され、警報追跡装置が破壊された後、かなり長期間にわたっていずれの盗難車も連続的に追跡可能であるため、非常に堅固であり、警察が盗難車を即時に回収するのを助ける。
−事故報告：車両はかなり損傷するが、そのトランシーバは引き続き動作し、他の通過車両または高速道路の沿道デバイスはこの事故について最初に報告することができる。
−たとえば税金不払い／無保険などの、非合法状況を伴う任意の車両は、警察署によって即時に検出される。
−車両の所有者は、何らかの犯罪イベントを報告する必要がある場合、警察に通報することができる。
【００２１】
本発明の実施形態に従った、ＭＴＣデバイスによってワイヤレス通信ネットワーク内で共同監視するための方法について、図４を参照しながら以下で説明する。本実施形態の方法は、たとえば図１に示されたようなシステムに適用可能であり、本明細書ではこれに関する説明を反復しない。前述のように、それぞれのＭＴＣデバイスはワイヤレス通信ネットワーク（ＰＬＭＮなど）を介してＭＴＣサーバに接続され、固有ＩＤおよびセキュリティ・コードを有するトランシーバを含む。このトランシーバは、そのＭＴＣデバイス近傍の一定のレンジ内にある他のＭＴＣデバイスに、その正常または異常な状況情報を定期的にブロードキャストし、当該レンジ内にある他のＭＴＣデバイスを検出および識別する。当該レンジは、ＷｉＦｉ、ＺｉｇＢｅｅ、ＵＷＢ、ＲＦＩＤなどの適合ワイヤレス伝送技術に従って設定可能であることに留意されたい。
【００２２】
本明細書では、当該ＭＴＣデバイスは、移動可能なシステムまたはデバイス（車両など）に含まれる場合にその現在位置をリアルタイムで報告するための、ＧＰＳロケータを含むこともできる。
【００２３】
当該トランシーバによる、そのレンジ内にある他のＭＴＣデバイスに関する検出および識別は、トランシーバが他のＭＴＣデバイスから確認要求を受信した場合、他のＭＴＣに対して、そのＭＴＣデバイスの現在の状況に関する合法／違法メッセージを送信することを含み、他のＭＴＣデバイスは、このトランシーバから違法メッセージを受信するか、またはいかなる確認メッセージも受信しない場合、ＭＴＣサーバに警報信号を送信し、その現在位置を報告する。
【００２４】
ステップ４０１で、ＭＴＣデバイスは違法に操作される。本明細書では、違法な操作は、パスワード誤り、トランシーバ破壊、位置変更などを含む（ただしこれらに限定されない）。
【００２５】
ＭＴＣデバイス内のトランシーバが破壊された場合、ステップ４０２で、ＭＴＣデバイスはＭＴＣサーバに対して警報メッセージを１回送信し、他のＭＴＣデバイスは、そのＭＴＣデバイスによって送信された合法のブロードキャスト信号を検出しないことから、ＭＴＣサーバに対して警報メッセージを送信し、その現在位置に関する情報を報告する。
【００２６】
ＭＴＣデバイス内のトランシーバが破壊されない場合、ステップ４０３で、ＭＴＣデバイスはＭＴＣサーバに警報メッセージを送信し、その現在位置に関する情報を報告することになる。
【００２７】
ＭＴＣサーバがＭＴＣデバイスのアドレス情報を静的なシステムまたはデバイス（パーソナル・コンピュータなど）内に記憶している場合は、トランシーバの固有ＩＤをＭＴＣサーバに報告するだけでよいことに留意されたい。
【００２８】
ＭＴＣサーバとＭＴＣデバイスとの間の対話を信号送信するために使用されるプロトコルは、ＭＴＣデバイスが装備される異なるタイプのシステムまたはデバイス（車両、携帯電話など）に依存して変化することにも留意されたい。
【００２９】
したがって、本実施形態の共同監視方法を使用することによって、盗難／破壊されたシステムまたはデバイスの現在位置が追跡できないという従来技術の問題が解決可能であることがわかるであろう。
【００３０】
同じ発明の概念に基づく、本発明の他の態様により、ワイヤレス通信ネットワーク内での共同監視が可能なＭＴＣデバイスが提案される。このＭＴＣデバイスについて、添付の図面を参照しながら以下で説明する。
【００３１】
図５は、本発明の実施形態に従ったＭＴＣデバイス５００を示す。このＭＴＣデバイス５００は、前述のように、トランシーバ５０１、ＧＰＳロケータ５０２、警報メッセージ送信手段５０３、第１の位置情報報告手段５０４、および第２の位置情報報告手段５０５を含み、トランシーバ５０１は、固有ＩＤおよびセキュリティ・コードを有し、ＭＴＣデバイス５００近傍の一定レンジ内にある他のＭＴＣデバイスに、その正常または異常な状況情報を定期的にブロードキャストし、前述のように当該レンジ内にある他のＭＴＣデバイスを検出および識別する。当該レンジは、ＷｉＦｉ、ＺｉｇＢｅｅ、ＵＷＢ、ＲＦＩＤなどの適合ワイヤレス伝送技術に依存して設定可能であることに留意されたい。当該ＧＰＳロケータ５０２は、ＭＴＣデバイス５００のリアルタイムのＧＰＳ位置を測定するために使用される。ＭＴＣデバイスは、このＧＰＳロケータ５０２を含むか、または含まない場合があることに留意されたい。たとえばＭＴＣデバイスは、静的なシステムまたはデバイス内にある場合、その位置情報がＭＴＣサーバ内に事前に記憶されていることが可能であり、その盗難または破壊イベントが他のＭＴＣデバイスによって検出可能であり、その位置も他のＭＴＣデバイスによって追跡可能であるため、ＧＰＳロケータ５０２を含まない場合がある。警報メッセージ送信手段５０３は、ＭＴＣデバイスが違法に操作されている間、ＭＴＣサーバに警報メッセージを送信するために使用される。第１の位置情報報告手段５０４は、ＭＴＣデバイス５００が違法に操作されるが、それが含むトランシーバは破壊されない場合に、ＭＴＣデバイス５００の現在位置に関する情報をＭＴＣサーバに報告するために使用される。第２の位置情報報告手段５０５は、他のＭＴＣデバイスによって送信された合法のブロードキャスト信号が検出されない場合に、ＭＴＣサーバに警報メッセージを送信し、その現在位置に関する情報を報告するために使用される。
【００３２】
実装において、本実施形態のＭＴＣデバイス５００、ならびにそれに含まれるトランシーバ５０１、ＧＰＳロケータ５０２、警報メッセージ送信手段５０３、第１の位置情報報告手段５０４、および第２の位置情報報告手段５０５は、ソフトウェア、ハードウェア、またはそれらの組み合わせ内に実装可能である。たとえば、当業者であれば、マイクロプロセッサ、マイクロコントローラ、ＡＳＩＣ、ＰＬＤ、および／またはＦＰＧＡなどの、これらの構成要素を実装するために使用可能な様々なデバイスに精通している。本実施形態のＭＴＣデバイスのそれらの各構成要素は、物理的に別々に実装可能であるが、動作可能なように相互接続可能である。
【００３３】
動作中、図５に関連して例示された実施形態の、ワイヤレス通信ネットワーク内で共同監視可能なＭＴＣデバイスは、前述の共同監視方法を実施することができる。ＭＴＣデバイスを使用することによって、盗難／破壊されたシステムまたはデバイスの現在位置が追跡できないという従来技術の問題を解決することができる。
【００３４】
同じ発明の概念に基づく、本発明のさらに他の態様により、前述の実施形態の少なくとも２つのＭＴＣデバイス、それらの状況および位置情報を処理するために当該ＭＴＣデバイスと対話する少なくとも１つのＭＴＣサーバ、ならびに、ＭＴＣデバイスおよびＭＴＣサーバが互いに通信し合う際に介するワイヤレス通信ネットワークを備える、システムが提案される。当該ワイヤレス通信ネットワークは、たとえばＰＬＭＮである。
【００３５】
たとえば、本発明のシステムでは、１つのＭＴＣデバイスが他のＭＴＣデバイスの合法／違法状況を監視し、盗難または破壊イベントの場合、当該ワイヤレス通信ネットワークを介して警報メッセージをＭＴＣサーバに送信し、必要であればその現在位置を報告する。詳細な動作プロセスについては、本発明の実施形態に従った前述の共同監視方法を参照することが可能であるため、その詳細については本明細書ではこれ以上説明不要であろう。
【００３６】
共同監視方法、ＭＴＣデバイス、およびシステムの例示的諸実施形態について、上記で詳細に説明したが、前述の諸実施形態は網羅的なものではなく、当業者であれば、本発明の趣旨および範囲内での多数の変更および修正が可能である。したがって、本発明はこれらの諸実施形態に限定されず、その範囲は添付の特許請求の範囲によってのみ画定される。
【図１】
2013516853.tif 000003
【図２】
2013516853.tif 000004
【図３】
2013516853.tif 000005
【図４】
2013516853.tif 000006
【図５】
2013516853.tif 000007
【国際調査報告】
2013516853.tif 000008
2013516853.tif 000009
2013516853.tif 000010
2013516853.tif 000011